【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
強制型グループ通信におけるコンピューティングデバイスのユーザからの応答を要請するための協調ツールを提供するための方法であって、
ユーザからの要求をコンピューティングデバイスにおいて受信するステップと、
前記要求に対する応答を要請する表示を複数のコンピューティングデバイスに描画させる勧誘メッセージを前記コンピューティングデバイスから前記複数のコンピューティングデバイスに送信するステップと、
前記要求に関連する応答メッセージを前記複数のコンピューティングデバイスのうちの少なくとも1つから前記コンピューティングデバイスにおいて受信するステップと、
前記受信された応答メッセージが前記要求を満足するかどうかを前記コンピューティングデバイスによって決定するステップと、
前記受信された応答メッセージが前記要求を満足しないと決定することに応答して、前記要求の要求された情報の満足されない部分に対応する補足要求を前記コンピューティングデバイスによって生成するステップと、
前記受信された応答メッセージが前記要求を満足すると決定することに応答して、取り消しメッセージを前記コンピューティングデバイスから前記複数のコンピューティングデバイスに送信するステップとを含み、前記取り消しメッセージが、前記要求に対する前記応答を要請する前記表示を自動的に消去するための動作を前記複数のコンピューティングデバイスに実行させるように構成される、方法。
【請求項２】
前記受信された応答メッセージが前記要求を満足すると決定することに応答して、前記要求が満足されていることを示すために、ローカルデータに対する消去動作を前記コンピューティングデバイスにおいて自動的に実行するステップをさらに含む、請求項1に記載の方法。
【請求項３】
前記要求が、前記複数のコンピューティングデバイスと関連付けられた受信者によって回答されるべき質問、または前記複数のコンピューティングデバイスと関連付けられた前記受信者によって完了されるべきタスクのうちの少なくとも1つである、請求項1に記載の方法。
【請求項４】
前記要求に対する前記応答を要請する前記表示が、前記要求に関連する応答メッセージを送信するために前記複数のコンピューティングデバイスに対して好適な応答モードを示す、請求項1に記載の方法。
【請求項５】
前記コンピューティングデバイスが、サーバまたはモバイルコンピューティングデバイスのうちの1つである、請求項1に記載の方法。
【請求項６】
前記受信された応答メッセージが前記要求を満足しないと決定することに応答して、前記補足要求に対する応答を要請する更新された勧誘メッセージを前記コンピューティングデバイスから前記複数のコンピューティングデバイスに送信するステップをさらに含む、請求項1に記載の方法。
【請求項７】
前記受信された応答メッセージが前記要求を満足しないと決定することに応答して、前記補足要求に対する応答を要請する更新された勧誘メッセージを前記コンピューティングデバイスから前記複数のコンピューティングデバイスに送信するステップが、
前記要求に関連する前記応答メッセージを送信した前記複数のコンピューティングデバイスの中のデバイスの第1のセットを、前記コンピューティングデバイスによって識別するステップと、
前記要求に対する前記応答を要請する前記表示を自動的に消去するための前記動作をデバイスの前記第1のセットに実行させるように構成された前記取り消しメッセージを前記コンピューティングデバイスからデバイスの前記第1のセットに送信するステップと、
前記要求に関連する応答メッセージを送信していない前記複数のコンピューティングデバイスの中のデバイスの第2のセットを、前記コンピューティングデバイスによって識別するステップと、
前記更新された勧誘メッセージを前記コンピューティングデバイスからデバイスの前記第2のセットに送信するステップとを含む、請求項6に記載の方法。
【請求項８】
前記要求を確証するためにデータ源から情報を取得するステップであって、前記情報が、現在時刻、位置情報、および前記要求が関連したままであるかどうかを前記コンピューティングデバイスが決定することを可能にする情報のうちの少なくとも1つを含み、前記データ源が、時間測定ユニット、位置情報の源、ローカル情報データベース、およびインターネットリソースのうちの少なくとも1つを含む、取得するステップと、
前記取得された情報に基づいて、前記要求が依然として有効であるかどうかを決定するステップとをさらに含み、
前記受信された応答メッセージが前記要求を満足すると決定することに応答して、取り消しメッセージを前記コンピューティングデバイスから前記複数のコンピューティングデバイスに送信するステップが、前記受信された応答メッセージが前記要求を満足すると決定することに応答して、または前記取得された情報に基づいて前記要求がもはや有効ではないものと決定することに応答して、取り消しメッセージを前記コンピューティングデバイスから前記複数のコンピューティングデバイスに送信するステップを含む、請求項1に記載の方法。
【請求項９】
実行されたとき請求項1乃至8の何れか1項に記載の方法を実施する動作を実行するようにプロセッサ実行可能命令で構成されたプロセッサを備えた、コンピューティングデバイス。
【請求項１０】
請求項1乃至8の何れか1項に記載の方法を実施する動作をコンピューティングデバイスのプロセッサに実行させるように構成されたプロセッサ実行可能命令を記憶した非一時的プロセッサ可読記憶媒体。
【請求項１１】
コンピューティングデバイスと、
複数のコンピューティングデバイスとを備え、
前記コンピューティングデバイスが、
ユーザから要求を受信するステップと、
前記要求に対する応答を要請する表示を前記複数のコンピューティングデバイスに描画させる勧誘メッセージを前記複数のコンピューティングデバイスに送信するステップとを含む動作を実行するように、プロセッサ実行可能命令で構成され、
前記複数のコンピューティングデバイスの各々が、
前記コンピューティングデバイスから前記勧誘メッセージを受信するステップと、
前記受信された勧誘メッセージに基づいて、前記要求に対する前記応答を要請する前記表示を描画するステップと、
前記表示を描画することに応答して、前記要求に関連するユーザ入力を受信するステップと、
前記受信されたユーザ入力を含む応答メッセージを前記コンピューティングデバイスに送信するステップとを含む動作を実行するように、プロセッサ実行可能命令で構成され、
前記コンピューティングデバイスが、
前記要求に関連する前記応答メッセージを前記複数のコンピューティングデバイスのうちの少なくとも1つから受信するステップと、
前記受信された応答メッセージが前記要求を満足するかどうかを決定するステップと、
前記受信された応答メッセージが前記要求を満足しないと決定することに応答して、前記要求の要求された情報の満足されない部分に対応する補足要求を生成するステップと、
前記受信された応答メッセージが前記要求を満足すると決定することに応答して、取り消しメッセージを前記複数のコンピューティングデバイスに送信するステップとをさらに含む動作を実行するように、プロセッサ実行可能命令で構成され、前記取り消しメッセージが、前記要求に対する前記応答を要請する前記表示を自動的に消去するための動作を前記複数のコンピューティングデバイスに実行させるように構成され、
前記複数のコンピューティングデバイスの各々が、
前記コンピューティングデバイスから前記取り消しメッセージを受信するステップと、
前記取り消しメッセージを受信することに応答して、前記要求に対する前記応答を要請する前記表示を自動的に消去するステップとをさらに含む動作を実行するように、プロセッサ実行可能命令で構成される、強制型グループ通信向け通信システム。
【請求項１２】
前記コンピューティングデバイスが、前記受信された応答メッセージが前記要求を満足すると決定することに応答して、前記要求が満足されていることを示すために、ローカルデータに対して消去動作を自動的に実行するステップをさらに含む動作を実行するように、プロセッサ実行可能命令で構成され、
前記複数のコンピューティングデバイスの各々が、
前記コンピューティングデバイスから更新された勧誘メッセージを受信するステップと、
前記更新された勧誘メッセージに基づいて、前記ユーザからの別の応答を要請するために前記表示を自動的に調整するステップとをさらに含む動作を実行するようにプロセッサ実行可能命令で構成される、請求項11に記載の通信システム。
【請求項１３】
前記複数のコンピューティングデバイスの中のデバイスの第1のセットと、
前記複数のコンピューティングデバイスの中のデバイスの第2のセットとをさらに備え、
前記受信された応答メッセージが前記要求を満足しないと決定することに応答して、前記補足要求に対する応答を要請する更新された勧誘メッセージを前記複数のコンピューティングデバイスに送信するステップが、
前記要求に関連する前記応答メッセージを送信した、前記複数のコンピューティングデバイスの中のデバイスとして、前記複数のコンピューティングデバイスの中のデバイスの前記第1のセットを識別するステップと、
前記要求に対する前記応答を要請する前記表示を自動的に消去するための前記動作をデバイスの前記第1のセットに実行させるように構成された前記取り消しメッセージをデバイスの前記第1のセットに送信するステップと、
前記要求に関連する応答メッセージを送信していない、前記複数のコンピューティングデバイスの中のデバイスとして、前記複数のコンピューティングデバイスの中のデバイスの前記第2のセットを識別するステップと、
前記更新された勧誘メッセージをデバイスの前記第2のセットに送信するステップとを含むような動作を実行するように、前記コンピューティングデバイスがプロセッサ実行可能命令で構成される、請求項12に記載の通信システム。
【請求項１４】
前記コンピューティングデバイスが、前記受信された応答メッセージに基づいて、前記要求の部分的満足を示すメッセージを前記複数のコンピューティングデバイスのうちの少なくとも1つに送信するステップをさらに含む動作を実行するように、プロセッサ実行可能命令で構成される、請求項12に記載の通信システム。
【請求項１５】
前記取り消しメッセージを受信することに応答して、前記要求に対する前記応答を要請する前記表示を自動的に消去するステップが、前記表示を非表示にするステップ、前記表示を削除するステップ、前記要求が満足されていることを示すように前記表示を調整するステップ、および前記要求が変更された優先度を有することを示すように前記表示を調整するステップのうちの1つを含むような動作を実行するように、前記複数のコンピューティングデバイスの各々がプロセッサ実行可能命令で構成される、請求項11に記載の通信システム。